(57)【要約】【課題】ドアストッパーの組み合わせ構造の提供。【解決手段】本考案のドアストッパーの組み合わせ構造は、固定座、圧棒、連結素子、及び、可動フレーム、からなり、固定座内のフレームを帯動する圧棒は、調節ブロックが半円筒蓋体内側で定位導槽の導引中、形成される偏移回転定位の操作により、圧棒が帯動するフレームが下向けの開放定位と、上向けの係合定位の循環操作を形成し、ドアの固定フックは、自動係合と自動釈放の操作が可能になり、腰を曲げたり、屈んだりせずに、使用できる。【選択図】図３
0003139056.tif 000002
【実用新案登録請求の範囲】
【請求項１】
ドアストッパーの組み合わせ構造であって、固定座と、圧棒と、連結素子と、フレームと、固定フックと、からなり、
前記固定座は、一端が円筒状体で、外側段が半円筒状段を形成し、前記圧棒を組み合わせ、内側表面に定位導槽を凹設する半円筒状蓋体を有し、
前記圧棒は、前記固定座内に容設され、内側段は、弾性素子を嵌合する横向け孔を有し、その頂部は、前記半円筒状蓋体の定位導槽に対応して調節ブロックを枢結し、
前記連結素子は、一端が前記固定座内の圧棒外側段を枢結し、もう一端が前記フレームを固定し
前記フレームは、開放側両端と前記フレーム素子が定位し、
前記固定フックは、ドアに固定され、前記フレームが延伸したフックに相対することを特徴とするドアストッパーの組み合わせ構造。
【請求項２】
前記対接蓋合する半円筒状段、及び、半円筒状蓋体は、前端に、小径段を有し、スリーブにより束結され、内部外側端の横導壁は、前記圧棒を嵌合導引する凹槽を有し、前記圧棒前端は、螺紋段により、前記固定座を穿出して外圧素子を螺結し、外側段は、開口が下向けで、両側壁が相対して枢孔を設置する容納空間を凹設し、前記連接素子が枢結し、前記連結素子は、二つの平行な湾折片の一端が穿孔を有する連結端により門状構造を形成し、両湾折片は前記容納空間両側壁の枢孔に対応して、凸柱を凸設し、前記フレームは、内に湾折する側フレームが前記半円筒状段と半円筒状蓋体両側壁の枢槽に枢結され、側フレーム中段は引き棒を傾斜延伸し、湾折端は前記連結素子の連結端の穿孔と枢結することを特徴とする請求項１に記載のドアストッパーの組み合わせ構造。
【請求項３】
前記半円筒状蓋体は前記調節ブロックに対応し、Ｚ状に湾折する定位槽導槽を凹設し、前記定位導槽は中段に定位尖角、後端に偏移尖角を形成し、前記調節ブロックは、両端が定位槽を凹設する直方体片で、底面の前記凸柱が前記圧棒を挿設し、前記調節ブロックが前記半円筒蓋体内側の定位導槽内に嵌入する時、進退制限構造を形成することを特徴とする請求項１、或いは、２に記載のドアストッパーの組み合わせ構造。
【考案の詳細な説明】
【技術分野】
【０００１】
本考案は、自動係合、開放する操作が容易なドアストッパーの組み合わせ構造に関するものである。
【背景技術】
【０００２】
図１は、公知のドアストッパーの立体図である。ドア上に固定されたフック１０、及び、可動フレーム２１を枢結する結合座２０、からなる。結合座２０は、底部の結合孔２２により、図２で示されるように、壁面に結合され、フレーム２１はドア上でフック１０を結合固定する。
【０００３】
しかし、ドアストッパーのフレーム２１とフック１０の結合、脱離は、手により、フレーム２１を操作する必要があり、面倒である。更に面倒なのは、各操作は、腰を曲げたり、屈んだりする必要があるので、使用上も不便である。
【０００４】
よって、公知のドアストッパーの構造の面倒な操作と使用上の不便を改善することが必要である。
【考案の開示】
【考案が解決しようとする課題】
【０００５】
本考案の目的は、ドアの固定具が自動的な係合と開放操作を行い、使用が便利なドアストッパーを提供することにある。
【課題を解決するための手段】
【０００６】
本考案のドアストッパーの組み合わせ構造は、固定座、圧棒、連結素子、及び、可動フレーム、からなり、固定座内のフレームを帯動する圧棒は、調節ブロックが半円筒蓋体内側で定位導槽の導引中、形成される偏移回転定位の操作により、圧棒が帯動するフレームが下向けの開放定位と、上向けの係合定位の循環操作を形成し、ドアの固定フックは、自動係合と自動釈放の操作が可能である。
【考案の効果】
【０００７】
本考案のドアの固定具は、自動的な係合と開放操作を行い、腰を曲げたり、屈んだりすることなく使用できるドアストッパーが提供される。
【考案を実施するための最良の形態】
【０００８】
図３と図４は、本考案の立体分解図と半組み合わせ図であり、固定座３０、圧棒４０、連結素子５０、及び、可動フレーム６０、からなる。
【０００９】
固定座３０は、一端が円筒状体で、固定素子Aで壁上に固設し、もう一側は、開口が上向きの半円筒状段３１と半円筒状蓋体３２を対接蓋合し、圧棒４０を容置する。対接する両側壁は、枢槽３１１、３２１を凹設し、外端は小径段３１２、３２２を有し、スリーブ３３により束結される。半円筒状段３１外段の横導壁３１３は、圧棒４０を嵌合可能な凹槽３１４を有し、図４で示されるように、半円筒蓋体３２内側壁は、Ｚ状に湾折する定位槽導槽３２３を縦向けに凹設し、定位導槽３２３は中段に定位尖角３２３ａを形成し、後端に偏移尖角３２３ｂを形成する。
【００１０】
圧棒４０は、固定座３０内に容設され、外側段は、開口が下向けで、且つ、両壁が枢孔４７を有する容納空間４１を凹設し、反対側は、弾性素子４４を嵌合する横向け孔４２を有する。前端は螺紋段４３を凸設し、固定座３０を穿出して外圧素子４５を螺結する。調整ブロック４６は、両側が定位槽４６１を凹設する直方体片で、底面の凸柱が圧棒４０を挿設し、半円筒蓋体３２内側壁の定位導槽３２３内に嵌入する。
【００１１】
連結素子５０は、圧棒４０の容納空間４１を容置し、二つの平行な湾折片の一端が穿孔５２を有する連結端５１により門状構造を形成し、両湾折片は容納空間４１両側壁の枢孔４７に対応して、凸柱５３を凸設する。
【００１２】
フレーム６０は、内に湾折する側フレーム６１が半円筒状段３１と半円筒状蓋体３２両側壁の枢槽３１１、３２１に枢結され、側フレーム６１中段は引き棒６２を傾斜延伸し、湾折端６３は連結素子５０の連結端５１の穿孔５２と枢結する。
【００１３】
上述の構造は、連結素子５０とフレーム６０を枢結する圧棒４０が固定座３０の半円筒状段３１内に装着され、フレーム６０は側フレーム６１により半円筒状段３１の枢槽３１１に係入された後、半円筒蓋体３２を蓋合し、圧棒４０に枢結される調節ブロック４６が丁度、半円筒状蓋体３２の定位導槽３２３内に嵌入し、また、半円筒状段３１と半円筒蓋体３２前端の小径段３１２、３２２がスリーブ３３により結合され、最後に、圧棒４０が固定座３０外端を穿出し、螺紋段４３が外圧素子４５を螺結して、図５のような構造を完成し、ｈ状フック１１を有する固定フック１０とドアストッパーを構成する。
【００１４】
図６で示されるように、本考案は、定位導槽３２３内の調節ブロック４６により定位尖角３２３ａを嵌合し、フレーム６０は常態下で、傾斜状態に定位される。よって、ドア８０が結合固定するフック１０のｈ状フック１１は、図中の点線で示されるように、外圧素子４５にぶつかって、圧棒４０を圧縮する時、調節ブロック４６の動作は、図で示されるように、左側の嵌合定位常態から内側に移動する圧棒４０により定位尖角３２３ａの嵌合を脱離させ、定位導槽３２３末端を推向し（矢印の中央局部で示される）、偏移した一側の末端が、定位導槽３２３末端の偏移尖角３２３ｂにより更に横向けに偏移し、ドアが圧棒に対する施圧を解除すると同時に、圧棒４０は弾性素子４４により反対に推されて、調節ブロック４６を復位させ、矢印の右側局部で示されるように、中段を経過する時、横向けの調節ブロック４６は、一側の定位尖角３２３ａにより推されて、回転が縦向きになり、図７の下図で示される原点位置に戻り、弾性素子４４は復位した圧棒４０を反対に押すと同時に、フレーム６０を帯動して瞬間に水平位置に戻り、固定フック１０を制止して、ドア８０を固定する。
【００１５】
図８は、本考案のドア開放操作図で、ドア８０を固定フック１０により、外圧素子４５から圧棒４０を最後まで圧縮するだけで、図中下図で示される圧棒４０が結合する調節ブロック４６が半円筒蓋体３２の定位導槽３２３末端まで推され、一端の定位槽４６１が定位導槽３２３末端の偏移尖角３２３ｂの制止を受けて一辺を偏移させ、この時、フレーム６０は同時に、圧棒４０により帯動され、下向けに、固定フック１０のｈ状フック１１に対する制限を脱離する。ドア８０が引かれると、圧棒４０はドア８０が弾性素子４４の作用を受けて復位する時、偏移状態の調節ブロック４６を引き戻すと共に、もう一端の定位槽４６１が丁度、定位尖角３２３ａにより嵌合定位し、フレーム６０が下方で定位し、常態係合状態を回復する。
【００１６】
上述の操作により、固定座３０内のフレーム６０を帯動する圧棒４０は、調節ブロック４６が半円筒蓋体３２内側で定位導槽３２３導引中、形成される偏移回転定位の操作により、圧棒４０が帯動するフレーム６０が下向けの開放定位と、上向けの係合定位の循環操作を形成し、ドアの固定フックは、自動係合と自動釈放の操作が可能になり、腰を曲げたり、屈んだりせずに、使用できる。
【図面の簡単な説明】
【００１７】
【図１】公知のドアストッパーの立体図である。
【図２】公知のドアストッパーがドアを固定する状態図である。
【図３】本考案の立体分解図である。
【図４】本考案の半立体組み合わせ図である。
【図５】本考案の立体組み合わせ図である。
【図６】本考案のドアと圧棒の操作図である。
【図７】本考案のドア固定操作図である。
【図８】本考案のドア開放操作図である。
【符号の説明】
【００１８】
１０  固定フック
１１  ｈ状フック
２０、３０  固定座
２２  結合孔
３１  半円筒状段
３２  半円筒状蓋体
Ａ  固定素子
３１２、３２２  小径段
３１３  横導壁
３１４  凹槽
３３  スリーブ
３２３  定位導槽
３２３ａ  定位尖角
３２３ｂ  偏移尖角
４０  圧棒
４１  容納空間
４２  横向け孔
４３  螺紋段
４４  弾性素子
４５  外圧素子
４６  調節ブロック
４６１  定位槽
４７  枢孔
５０  連結素子
５１  連結端
５２  穿孔
５３  外側凸柱
２１、６０  フレーム
６１  側フレーム
６２  引き棒
６３  湾折端
７０  壁
８０  門体
【図１】
0003139056.tif 000003
【図２】
0003139056.tif 000004
【図３】
0003139056.tif 000005
【図４】
0003139056.tif 000006
【図５】
0003139056.tif 000007
【図６】
0003139056.tif 000008
【図７】
0003139056.tif 000009
【図８】
0003139056.tif 000010